(57)【要約】      （修正有）【課題】遊技盤の脱着が容易であるとともに部品点数の少なく、組立作業性を向上させることである。【解決手段】位置決め保持部６は、遊技盤５の下縁部が一定の勾配で形成された傾斜面６１を備えた係合用凸部６２と、前面枠３の下縁部に形成された鋭角を成すガイド面６３及び垂直面６４を備えた係合用凹部６５とから構成され、傾斜面６１とガイド面６３とは同一傾斜角度とされ、係合用凸部６２が係合用凹部６５に嵌合可能な構造である。係合用凹部６５は遊技盤用凹陥部３２の下縁部に形成され、係合用凸部６２は、遊技盤５の下端へ行く程、厚みが小となる楔状に成形され、遊技盤５の傾斜面６１を前面枠３のガイド面６３に当接させ、係合用凸部６２の先端部分が係合用凹部６５の奥に達する。【選択図】図５
2008168142.tif 000002
【特許請求の範囲】
【請求項１】
遊技盤と、
前記遊技盤を保持する遊技盤用凹陥部を有する遊技盤保持部材とを備え、
前記遊技盤を前記遊技盤用凹陥部に着脱自在に装着した弾球遊技機において、
前記遊技盤の下縁部に、前記遊技盤の下端へ行くほど厚みが小となるように前記遊技盤取付の作業方向手前側から奥側に向けて傾斜する傾斜面を有する前記係合用凸部を設け、前記遊技盤用凹陥部の下縁部に、前記傾斜面と同一の傾斜角度のガイド面を有し、前記係合用凸部に係合する係合用凹部を設け、
前記係合用凹部は、遊技盤面と平行な垂直面と、前記垂直面と鋭角をなし前記傾斜面と同一傾斜角度とされたガイド面とから構成され、
前記遊技盤の下縁部が、前記遊技盤用凹陥部の下縁部に斜め上方から向かい合わされ、前記係合用凸部の先端部が、前記係合用凹部の前縁部に載置されたとき、
前記係合用凸部が、前記遊技盤の自重を利用して前記ガイド面に沿って前記係合用凹部の奥側へ移動され、前記係合用凸部の先端が前記係合用凹部の奥部へ到達することで、
前記遊技盤は、垂直に前記遊技盤用凹陥部に収容され、前記遊技盤の自重により垂直姿勢を維持した状態で保持されることを特徴とする弾球遊技機。
【請求項２】
前記傾斜面は、前記遊技盤の背面側から正面側に向かって斜め下方に傾斜することを特徴とする請求項１に記載の弾球遊技機。
【発明の詳細な説明】
【技術分野】
【０００１】
本発明は、遊技盤と遊技盤保持部材（前面枠、機構盤等）との間の位置決めや保持関係に特徴を有する弾球遊技機に関する。
【背景技術】
【０００２】
図１１及び図１２に示す弾球遊技機１０１において、前面枠１０３（遊技盤保持部材）の背面側に一体成型された位置決め突起１０６が遊技盤１０５の位置決め孔１０４に挿入され（図１２参照）、遊技盤１０５は、回動自在な第１ロック機構部１０７及び第２ロック機構部１０７’により背面側から押さえつけられるようになっている（図１１参照）。このように、複数（図１１では４つ）のロック機構部が遊技盤１０５の周囲に沿って配設されており、遊技盤１０５の複数筒所がロック機構部によって固定されていた。この外に、機構盤に遊技盤１０５を収容するタイプの弾球遊技機もある。
【０００３】
ところが、上記従来のものでは多数のロック機構部を必要としており、部品点数が大となる不具合があった。また、ロック機構部の数が多いため、弾球遊技機の組立や遊技盤の交換の際には多くの工数を必要としていた。さらに遊技盤１０５が前面枠１０３に対して傾いている場合、ロック機構部の操作に必要な力が均一にならず、ロックし易い箇所とロックし難い箇所とが生じて脱着の作業性が悪化する。遊技盤１０５の全体が前面枠に対して浮いている場合には、全てのロック機構部に対して多大な力が必要となり、作業性は更に悪くなる。このような遊技盤１０５の傾きや浮きが生じる原因として、前面枠１０３の製造時に位置決め突起１０６に残ったバリなどが考えられる。
【０００４】
この位置決め突起１０６は遊技盤１０５を一時的に片持ち支持する機能を有しているが、遊技盤１０５を安定的に支持することはできないため、遊技盤１０５の支持を位置決め突起１０６に頼ってロック機構部を省略することはできなかった。また、遊技盤１０５の組み付けの際に位置決め突起１０６は遊技盤１０５によって隠されてしまうため、組み付け作業は盲作業であり、作業性が悪かった（特許文献１）。
【０００５】
【特許文献１】特開昭５５−５８１８４
【発明の開示】
【発明が解決しようとする課題】
【０００６】
そこで、請求項に係る発明の課題は、遊技盤の脱着が容易であるとともに部品点数の少なく、組立作業性を向上させる弾球遊技機を提供することである。
【課題を解決するための手段】
【０００７】
上記課題に鑑み請求項１記載の発明はなされたものであり、遊技盤と、  前記遊技盤を保持する遊技盤用凹陥部を有する遊技盤保持部材とを備え、前記遊技盤を前記遊技盤用凹陥部に着脱自在に装着した弾球遊技機において、前記遊技盤の下縁部に、前記遊技盤の下端へ行くほど厚みが小となるように前記遊技盤取付の作業方向手前側から奥側に向けて傾斜する傾斜面を有する前記係合用凸部を設け、前記遊技盤用凹陥部の下縁部に、前記傾斜面と同一の傾斜角度のガイド面を有し、前記係合用凸部に係合する係合用凹部を設け、前記係合用凹部は、遊技盤面と平行な垂直面と、前記垂直面と鋭角をなし前記傾斜面と同一傾斜角度とされたガイド面とから構成され、前記遊技盤の下縁部が、前記遊技盤用凹陥部の下縁部に斜め上方から向かい合わされ、前記係合用凸部の先端部が、前記係合用凹部の前縁部に載置されたとき、前記係合用凸部が、前記遊技盤の自重を利用して前記ガイド面に沿って前記係合用凹部の奥側へ移動され、前記係合用凸部の先端が前記係合用凹部の奥部へ到達することで、前記遊技盤は、垂直に前記遊技盤用凹陥部に収容され、前記遊技盤の自重により垂直姿勢を維持した状態で保持されることを特徴とする弾球遊技機である。
こうした構成により、上述の諸課題が解決することができる。
【０００８】
ここにいう遊技盤保持部材は、代表的には前面枠や機構盤等が例示できる。前面枠は、代表的には、本体枠に開閉自在に連結されたものが挙げられる。また機構盤は、代表的には、前面枠の背面側において、前面枠に開閉自在に連結され、賞球タンク、主制御基板等が配設されたものが例示できる。
また、ここにいう遊技盤用凹陥部は上述の遊技盤保持部材の前側、背面側いずれに形成しても良い。また、前記係合用凸部は遊技盤の下縁部に、前記係合用凹部は遊技盤凹陥部の下縁部に、前記ロック機構部は遊技盤保持部材の上縁部に設けることが代表的態様（実施形態参照）として挙げられるが、この他、前記係合用凸部を遊技盤の側縁部に、前記係合用凹部を対応する遊技盤凹陥部の側縁部に、前記ロック機構部を遊技盤保持部材の側縁部に設ける態様など、種々なる態様が実施可能であり、係合用凸部及び係合用凹部、並びにロック機構部の組合せにより、遊技盤が遊技盤保持部材に適切に保持できる構造であれば良い。係合用凸部と係合用凹部の位置が交換されたもの、それらが連続的に設けられたもの、それらが断続的に設けられたもの、係合用凸部と係合用凹部とが混成したものなども実施可能である。さらに係合用凸部は、平面から構成されたもの（楔形、山形など）、或いはカーブ面から構成されたもの、平面とカーブ面とを組み合わせたものなど各種の例が挙げられ、また、係合用凹部は、係合用凸部に適合した形状が好適であるが、係合用凸部と係合用凹部の係合構造はこれらに限定されるものではなく、当業者には種々なる態様が実施可能である。前記ロック機構部は、回動可能なロック片を備え、これを指で回して、このロック片で遊技盤を遊技盤保持部材に係止できる構造が一態様として挙げられるが、その他、種々の構造が採用できる。また設置個数は少なくとも１つであれば良く、またその配置も弾球遊技機の構造に対応させ様々に変化させることができる。
【０００９】
また、請求項２に記載の発明は、前記傾斜面は、前記遊技盤の背面側から正面側に向かって斜め下方に傾斜することを特徴とする請求項１に記載の弾球遊技機である。
また、その他の発明は、係合用凸部は楔状であり、係合用凹部は係合用凸部を嵌合できる形状であることを特徴とする弾球遊技機である。請求項１と同様の課題が達成される上、遊技盤の自重を利用して係合用凸部と係合用凹部とを円滑に係合できるので、組立作業が一層容易となる。ここにいう楔状は、片面又は両面に鋭角をなす勾配を備えたものが挙げられる。
【発明の効果】
【００１０】
請求項１及び２に記載の発明によれば、遊技盤の脱着が容易であるとともに部品点数を削減でき、組立作業性を向上させることができる効果がある。
【発明を実施するための最良の形態】
【００１１】
本発明の実施形態である弾球遊技機１は、フィーバー機、或いは第一種と呼ばれるものであり、図１ないし図３に示す通り、弾球遊技機１の本体枠２には前面枠３が前面枠用ヒンジ４により開閉自在に連結されている。前面枠３の背面側に遊技盤５が位置決め保持部６及びロック機構部７により着脱自在に装着され、遊技盤５の背面側に機構盤８が配置され、この機構盤８は機構盤用ヒンジ９により開閉自在に前面枠３に連結されている。すなわち、遊技盤５は前面枠３と機構盤８によってサンドイッチ状に挟まれる構造である。さらに本体枠２の正面側には、遊技盤５の前面を覆う為のガラスが装着されるガラス枠１０が開閉自在に連結されている。
本実施形態の弾球遊技機１の特徴は、遊技盤５が位置決め保持部６及びロック機構部７により前面枠３に着脱自在に装着可能とされる構造であり、それについて図４ないし図６を参照して詳述する。まず前面枠３には角型の開口部３１（図３参照）が形成され、前面枠３の背面側の周縁の大部分に遊技盤５の周縁を受け入れる遊技盤用凹陥部３２が形成されている。また遊技盤５は、周知の通り、誘導レール５１、センター役物５２、風車５３などを備えた薄板平面形状のものである。図４及び図５に示す位置決め保持部６は、本実施形態の特徴をなし、遊技盤５の下縁部が一定の勾配で形成された傾斜面６１を備えた係合用凸部６２と、前面枠３の下縁部に形成された鋭角を成すガイド面６３及び垂直面６４を備えた係合用凹部６５とから構成され、傾斜面６１とガイド面６３とは同一傾斜角度とされ、係合用凸部６２が係合用凹部６５に嵌合可能な構造となっている。この係合用凹部６５は遊技盤用凹陥部３２の下縁部に形成されている。上記した勾配は、遊技盤５の背面側から正面側に向かって斜め下方に鋭角をなすように片側に形成されており、本実施形態では４５°程度であるが、適当な角度を設定できる。即ち、係合用凸部６２は、遊技盤５の下端へ行く程、厚みが小となる楔状に成形されており、遊技盤５の傾斜面６１を前面枠３のガイド面６３に当接させ、係合用凸部６２の先端部分が係合用凹部６５の奥に達することができるようになっている。そして、遊技盤５は係合用凸部６２と係合用凹部６５の係合により後方への倒れが阻止されて、前面枠３にほぼ垂直に保持されることができる。遊技盤５の表面５０ｂが遊技盤用凹陥部３２の壁面に当接されている。なお、図５に符号３３で示すのは止めねじである。そして、この止めねじ３３は、パネル部材３４の周縁に沿って複数箇所に適宜配置され、前面枠３に一体に形成されたボス部３５に螺合されてパネル部材３４を前面枠３に固定している。
【００１２】
ロック機構部７について図６（ａ）（ｂ）を参照して説明する。このロック機構部７は、前面枠３に形成された遊技盤用凹陥部３２の背面側の上部周縁部（側壁頂面）のほぼ中央部付近に１箇所形成されたものであり（図３参照）、遊技盤用凹陥部３２に隣接して設けられた取付ボス７１と、Ｌ字薄板状の回動片７２と、飾りナット７３及び回動軸７４を備えスペーサ７５及びコイルばね７６を介装させて回動片７２を回動可能に取付ボス７１に取り付けるフランジ付ナット７７とから構成されている。コイルばね７６は回動片７２を遊技盤５の側に付勢するものであるが、フランジ付ナット７７でその付勢力は調整できるようになっている。この回動片７２はロック片７８と操作片７９とを直交状に接続したものであり、操作片７９から横方向に指掛部７９ａが突出し、作業者がこの指掛部７９ａに指を掛けて回動片７２を回動させることができるものである。ロック片７８は遊技盤５を押さえて固定することを可能とするものである。ロック機構部７は、図６（ａ）の実線及び同（ｂ）に示す通り、ロック片７８を下方に向けて遊技盤５を前面枠３に固定することができ、一方、図６（ａ）の点線に示す通り、ロック片７８を水平方向に向けて遊技盤５を前面枠３から解除できる構造である。図示のロック機構部７の構造は一例であって、一般的な種々の構造のものを採用できる。
【００１３】
なお、上記例ではロック機構部７の数を１個としているが、遊技盤５に装着される各種役物や特別図柄表示装置２０により遊技盤５の重量が大となる場合は、ロック機構部７の数を２個以上としてもよい。その場合も、遊技盤５の下縁部は係合用凸部６２と係合用凹部６５との係合関係によって保持されているので、遊技盤５の上縁部のみにロック機構部７を追加すれば十分に遊技盤５の固定を行うことが可能である。ロック機構部７の配置は、遊技盤５の上縁部のほぼ中央を押圧するよう設定してあるが、遊技盤５の形状や遊技盤５への装着品（表示装置や大型の役物など）により決まる遊技盤５の重心が遊技盤５の左或は右へ偏っている場合には、ロック機構部７を偏倚配置することもできる。
【００１４】
次に弾球遊技機１の一般的な構成を説明する。図１及び図２に示す通り、ガラス枠１０は施錠装置１１により前面枠３に施錠可能とされ、ガラス枠１０の下側に、上受け皿１２が設けられた上皿部材１３が前面枠３に開閉可能に連結され、またその下方に下受け皿１４が設けられた下皿部材１５が前面枠３の下部に固定されている。上受け皿１２の左下側には遊技状態に応じた効果音を発生させるスピーカ１６が設けられている。また、下受け皿１４の右側には発射ハンドル１９が設けられ、これが、上受け皿１２から供給される遊技球を遊技盤５の遊技領域１７に向かって弾発する遊技球発射装置１８と接続されている。特別図柄表示装置２０は遊技盤５の背面側に固定されている（図２参照）。遊技盤５の背面にセーフ球を集合させるため集合盤２２が固定されている（図３参照）。
【００１５】
図１及び図２に示す通り、遊技盤５には発射された打球を誘導するための誘導レール５１がほぼ円弧状に植立され、この誘導レール５１で区画された領域が遊技領域１７を構成している。遊技領域１７の中央部にはセンター役物５２が配設されており、このセンター役物５２には特別図柄表示装置２０の特別図柄表示盤２１が露出している。このセンター役物５２の左右の遊技領域１７に、一対の風車５３、ランプ風車５４及び入賞装置５５が配設されている。遊技領域１７の左右端部に一対の装飾装置５６が配設されている。センター役物５２の下方に始動装置５７、その左右に一対の入賞装置５８、その下方にアタッカー（大入賞口ともいう）を備えた大入賞装置５９が各々配設されている。大入賞装置５９の下方にアウト口６０が形成されている。始動装置５７に遊技球が受け入れられると、特別図柄表示盤２１の特別図柄の変動が開始され、これが特定の表示態様、例えば７７７の３桁同一の数字で停止表示されると、特別遊技状態となり大入賞装置５９のアタッカーが所定回数開放されるように構成されている。
【００１６】
図２に示す通り、弾球遊技機１の背面側にある機構盤８には、賞球タンク８１、賞球誘導樋８２、枠用外部接続端子８３、補給球切れ検知スイッチ８４、賞球払出装置８５、主制御装置８６、発射制御装置８７、枠制御装置８８及び下皿用球通路部材８９などが設けられている。また機構盤８の背面側の左側部に設けられた係止機構部９０により、機構盤８が閉時に前面枠３に対して固定されるようになっている。また、図３に示すように前面枠３の背面側に発射装置用端子基板９１、下皿連絡通路９２及び上皿用球排出口９３（図３参照）が設けられている。さらに前面枠３を本体枠２に、及び、ガラス枠１０を前面枠３に開閉自在に固定する係止機構部９４が設けられている。その他の図示の構成は周知であるから、説明は省略する。
【００１７】
遊技盤５の取付け手順を図７（ａ）〜（ｃ）を参照して説明する。
（イ）  係止機構部９４を解除し前面枠３を本体枠２に対して開放した状態とし、係止機構部９０を解除し機構盤８を前面枠３から開放した状態とし、ロック機構部７を開放位置とし（図６（ａ）点線参照）、遊技盤５の下縁部を前面枠３の遊技盤用凹陥部３２の下縁部に斜め上方から向かい合わせ、係合用凸部６２の先端部を係合用凹部６５の前縁部（作業方向手前側の縁部）に載置する（図７（ａ））。この作業は開放された前面枠３の背面側で行われる。
（ロ）  遊技盤５の自重を利用し、係合用凸部６２をガイド面６３に沿って係合用凹部６５の奥部へ滑るように移動させる（図７（ｂ））。
（ハ）  係合用凸部６２の先端を係合用凹部６５の最奥部へ到達させて停止させ、遊技盤５をほぼ垂直に立てて遊技盤５を遊技盤用凹陥部３２に収容する（図７（ｃ））。この後、ロック機構部７をロック方向に回転操作する（図６（ａ）実線参照）。
（二）  電気配線のコネクタ接続等を行い、機構盤８や前面枠３を閉じる。
【００１８】
以上説明した通り弾球遊技機１が構成されていることにより以下の効果が生じる。
（１）遊技盤５の下縁部にある係合用凸部６２が、前面枠３の係合用凹部６５に係合し、遊技盤５が遊技盤用凹陥部３２の中で垂直姿勢を保ったまま保持される。そして、ロック機構部７によるロックを行う前における遊技盤５の保持状態は、遊技盤５の自重を利用して維持される。さらに、遊技盤５の上部においてはロック機構部７が遊技盤５を前面枠３に押し付けているので、遊技盤５の上部は安定的に保持される。したがって、ロック機構部７の配置を遊技盤５の上部のみとすることが可能になり、１個のロック機構部により遊技盤５を前面枠３に固定できる。この結果、１個のロック機構部７を操作することにより遊技盤５を脱着でき、遊技盤５の交換や保守が容易であるとともに、弾球遊技機１の組立工数を低減できる。
（２）また、１個のロック機構部７により遊技盤５を保持できるので、弾球遊技機１の部品数の削減が可能になる。
（３）位置決め孔１０４と位置決め突起１０６（図１０及び図１１参照）とを用いることなく、遊技盤５を遊技盤用凹陥部３２に位置決めできるので、遊技盤５の傾きや浮きの発生を防ぐことが可能である。したがって、ロック機構部７を常に一定の力で円滑に操作できる。
（４）遊技盤５の係合用凸部６２を前面枠３の係合用凹部６５に載置し、遊技盤５を遊技盤用凹陥部３２に送りこむだけで遊技盤５を位置決めできるので、盲作業が解消され、遊技盤５装着の確実性や作業性が向上する。
（５）遊技盤５の左右に配置されていたロック機構部１０７，１０８（図１０参照）を省略できるので、遊技盤５の左右に装着される各種の機器や部材の配置や設計は、ロック機構部による制限を受けることがなく、設計の自由度が大幅に向上する。
【００１９】
なお、上述の弾球遊技機１は遊技盤５を前面枠３に組み付けるタイプであるが、この変形例として、遊技盤５を機構盤８に組み付けるタイプの弾球遊技機、その他様々な構造の弾球遊技機にも適用可能である。
【００２０】
また、他の変形例として、図８及び図９に示す通り、位置決め保持部６’の形状を山形及び谷形の組み合わせにより構成してもよい。図８においては、遊技盤５’に山形の係合用凸部６２’が形成され、前面枠３’に谷形の係合用凹部６５’が形成されている。この場合は、係合用凸部６２’の移動距離が図７（ａ）〜（ｃ）と比較して半分程度であるから、遊技盤５’の組み付けをより短時間で行うことが可能である。
【００２１】
以上、本実施形態を説明したが、本発明の技術的思想を逸脱しない範囲において本発明の構成を適宜改変できることは当然であり、このような改変も、本発明の技術的範囲に属するものである。例えば、位置決め保持部６の形状、構造、他の部材との組み合せ等は、実施形態に限定されることはなく、当業者であれば種々なる態様が挙げれられる。この種の改変として、遊技盤５の係合用凸部６２を断続的に形成し、前面枠３にこの係合用凸部６２に係合する係合用凹部（図示略）を形成することが考えられる。例えば図１０に示すように、係合用凸部６２を遊技盤５の下縁部の両側に２箇所設け、下縁部の中央には設けず、前面枠３にこの係合用凸部６２に係合する係合用凹部（図示略）を対応位置に形成させた構造が挙げられる。他の例として、係合用凸部６２を遊技盤５の下縁部の中央部にのみ設け、前面枠３の下縁部の中央部にこの係合用凸部６２に係合する係合用凹部（図示略）を対応させて設けることもできる。
【００２２】
さらに、本発明は、第一種パチンコ機に限らず、いわゆる羽根物や権利物・一般電役などと呼ばれている二種や三種の機種、アレンジボール遊技機、確率変動機能、時短機能をもった機種等の種々の弾球遊技機にも適用が可能である。
【図面の簡単な説明】
【００２３】
【図１】本発明の実施形態の弾球遊技機の正面図である。
【図２】同弾球遊技機の背面図である。
【図３】同弾球遊技機の遊技盤の背面を見えるように機構盤を取り除いた状態を示す背面図である。
【図４】図３のＡ−Ａ線に沿って切断して要部を示す断面図である。
【図５】同遊技盤の位置決め保持部付近を拡大して示す部分縦断面図である。
【図６】（ａ）はロック機構部の正面図、（ｂ）は同ロック機構部付近の右側面部分断面図である。
【図７】（ａ）は係合用凸部が係合用凹部に嵌入される初期の状態を示す図、（ｂ）同嵌入が進んだ状態を示す図、（ｃ）は同嵌入が完了した状態を示す図である。
【図８】本発明の実施形態の弾球遊技機の位置決め保持部の変形例を示す部分縦断面図である。
【図９】（ａ）は同変形例の係合用凸部が係合用凹部に嵌入される初期の状態を示す図、（ｂ）同嵌入が進んだ状態を示す図である。
【図１０】本発明の実施形態の弾球遊技機の位置決め保持部の改変例を示すものであり、同弾球遊技機の遊技盤の背面を見えるように機構盤を取り除いた状態を示す背面図である。
【図１１】従来の遊技盤位置決め構造を備えた弾球遊技機の裏面を示す部分縦断面図である。
【図１２】（ａ）は図１０のＢ−Ｂ線に沿って遊技盤を縦に切断した部分断面図、（ｂ）は図１０のＣ−Ｃ線に沿って遊技盤を縦に切断した部分断面図である。
【符号の説明】
【００２４】
１・・・弾球遊技機
２・・・本体枠
５、５’・・・遊技盤
６、６’・・・位置決め保持部
７・・・ロック機構部
８・・・機構盤
３２、３２’・・・遊技盤用凹陥部
６１、６１’・・・傾斜面
６２、６２’・・・係合用凸部
６３、６３’・・・ガイド面
６４、６４’・・・垂直面
６５、６５’・・・係合用凹部
７１・・・取付ボス
７２・・・回動片
７４・・・回動軸
７８・・・ロック片
７９・・・操作片
９０・・・係止機構部
９４・・・係止機構部
【図１】
2008168142.tif 000003
【図２】
2008168142.tif 000004
【図３】
2008168142.tif 000005
【図４】
2008168142.tif 000006
【図５】
2008168142.tif 000007
【図６】
2008168142.tif 000008
【図７】
2008168142.tif 000009
【図８】
2008168142.tif 000010
【図９】
2008168142.tif 000011
【図１０】
2008168142.tif 000012
【図１１】
2008168142.tif 000013
【図１２】
2008168142.tif 000014